(57)【要約】  【課題】冷蔵温度帯から冷凍温度帯まで切り替えることのできる切替室を採用する真空断熱材を使用した冷蔵庫において、省エネルギー化を図る。  【解決手段】切替室２４を上部で区画する仕切り壁２２の内部に真空断熱材２５を、下部で区画する仕切り壁２３の内部に真空断熱材２６をそれぞれ配設し、切替室２４の温度が切替室２４に隣接する貯蔵室と異なる温度帯設定となった場合の貯蔵室への熱伝導を抑制することにより過冷却や凍結を防止し、さらに省エネルギー化を図ることができる。【選択図】図１
2005127600.tif 000002
【特許請求の範囲】
【請求項１】
外箱と、内箱と、前記両箱間に充填された断熱材と、前記内箱により形成された庫内を上下に区画する仕切り壁と、前記仕切り壁により区画形成された冷蔵温度帯から冷凍温度帯まで切り替えることのできる切替室と、前記切替室上部に位置する冷蔵室と、前記切替室の下部に位置する冷凍室とを備え、前記仕切り壁内部に真空断熱材を配置することを特徴とする冷蔵庫。
【請求項２】
冷蔵室と切替室を区画する仕切り壁内部の真空断熱材は切替室側に配置し、切替室と冷凍室を区画する仕切り壁内部の真空断熱材は冷凍室側に配置することを特徴とする請求項１に記載の冷蔵庫。
【請求項３】
外箱と、内箱と、前記両箱間に充填された断熱材と、前記内箱により形成された庫内を上下に区画する仕切り壁と、前記仕切り壁により区画形成された冷蔵温度帯から冷凍温度帯まで切り替えることのできる切替室と、前記切替室上部に位置する野菜室と、前記切替室の下部に位置する冷凍室とを備え、前記仕切り壁内部に真空断熱材を配置することを特徴とする冷蔵庫。
【請求項４】
野菜室と切替室を区画する仕切り壁内部の真空断熱材は切替室側に配置し、切替室と冷凍室を区画する仕切り壁内部の真空断熱材は冷凍室側に配置することを特徴とする請求項３に記載の冷蔵庫。
【請求項５】
外箱と、内箱と、前記両箱間に充填された断熱材と、前記内箱により形成された庫内を上下に区画する仕切り壁と、前記仕切り壁により区画形成された冷蔵温度帯から冷凍温度帯まで切り替えることのできる切替室と、前記切替室上部に位置する冷蔵室と前記切替室の下部に位置する野菜室とを備え、前記仕切り壁内部に真空断熱材を配置することを特徴とする冷蔵庫。
【請求項６】
冷蔵室と切替室を区画する仕切り壁内部の真空断熱材は切替室側に配置し、切替室と野菜室を区画する仕切り壁内部の真空断熱材は切替室側に配置することを特徴とする請求項５に記載の冷蔵庫。
【発明の詳細な説明】
【技術分野】
【０００１】
本発明は、真空断熱材を利用した冷蔵庫に関するものである。
【背景技術】
【０００２】
近年、冷蔵庫の省エネルギー化や省スペース化を狙いに、冷蔵庫の断熱性能を高める一手段として、高断熱性能を有する真空断熱材を利用する方法があり、省エネルギーの要請が益々高まる今日では、硬質ウレタンフォームと比較して数倍から１０倍程度の断熱性能を有する真空断熱材を適切な範囲内で最大限に利用することにより断熱性能を向上させていくことが急務であるといえる（例えば、特許文献１参照）。
【０００３】
図７に従来の冷蔵庫の断面図を示す。本例では、外箱１と内箱２で構成される空間に真空断熱材３を配設し、また、上部仕切り壁８と下部仕切り壁９により上部から冷蔵室１０、野菜室１１、冷凍室１２を構成している。
【０００４】
本構成では、冷蔵庫断熱箱体に侵入する熱を有効に抑制することができ、省エネルギー化を図ることができる。また、壁厚を薄くし、庫内容量を拡大することもできる。
【特許文献１】特開平１０−２０５９８９号公報
【発明の開示】
【発明が解決しようとする課題】
【０００５】
しかしながら、上記従来の冷蔵庫では、温度帯の異なる野菜室と冷凍室が隣接し、かつ、野菜室の両側面に真空断熱材が配接されているため、冷凍室からの熱伝導により、野菜室が冷えすぎるという問題があった。逆に冷凍室においては野菜室からの熱伝導により温められるため、余分な冷却能力が必要であった。さらに熱伝導を抑制するには十分な仕切り壁の厚みを設ける、もしくはヒータを用い、野菜室を温める必要があり、各室の容量を十分に確保できない、また、真空断熱材を用い、省エネルギー化を図っているにもかかわらず、ヒータにより、省エネルギーの効果が低減するといった問題があった。
【０００６】
本発明は、上記課題に鑑み、真空断熱材を多く使用しても、各貯蔵室の適正な温度を確保し、さらに高い省エネルギーを確保した冷蔵庫を提供するものである。
【課題を解決するための手段】
【０００７】
この課題を解決するため、本発明は以下のような構成とする。
【０００８】
本発明の冷蔵庫は、外箱と、内箱と、前記両箱間に充填された断熱材と、前記内箱により形成された庫内を上下に区画する仕切り壁と、前記仕切り壁により区画形成された冷蔵温度帯から冷凍温度帯まで切り替えることのできる切替室と、前記切替室上部に位置する冷蔵室と、前記切替室の下部に位置する冷凍室とを備え、前記仕切り壁内部に真空断熱材を配置するものである。
【０００９】
本発明によれば、切替室を冷蔵温度帯に設定した場合、冷凍室からの熱伝導により切替室が冷えすぎることを抑制することができる。また、冷凍室も切替室から熱伝導を抑制することにより、省エネルギー化を図ることが出来る。また、ヒータを用いて冷蔵温度を確保する場合においてもヒータ容量を小さくすることができる。さらに、切替室を冷凍温度帯に設定した場合、冷蔵室からの熱伝導により切替室が温められることなく、無駄な冷却をすることを抑制することができる。さらに冷蔵室も切替室からの熱伝導が抑制できるため、冷蔵室の過冷却や凍結を防止することが出来る。また、ヒータにより冷蔵室の温度を
確保する場合においても、ヒータ容量を小さくすることができ、省エネルギー化を図ることが出来る。
【発明の効果】
【００１０】
以上のように本発明の冷蔵庫によれば、切替室の上下の仕切り壁に真空断熱材を温度帯の異なる貯蔵室になった場合において熱伝導が抑制され、過冷却や凍結が防止できると共に、ヒータ容量を少なくすることができ、省エネルギー化を図ることができる。
【発明を実施するための最良の形態】
【００１１】
請求項1に記載の発明は、外箱と、内箱と、前記両箱間に充填された断熱材と、前記内箱により形成された庫内を上下に区画する仕切り壁と、前記仕切り壁により区画形成された冷蔵温度帯から冷凍温度帯まで切り替えることのできる切替室と、前記切替室上部に位置する冷蔵室と、前記切替室の下部に位置する冷凍室とを備え、前記仕切り壁内部に真空断熱材を配置するものである。
【００１２】
本発明によれば、切替室を冷蔵温度帯に設定した場合、冷凍室からの熱伝導により切替室が冷えすぎることを抑制することができる。また、冷凍室も切替室から熱伝導を抑制することにより、省エネルギー化を図ることが出来る。また、ヒータを用いて冷蔵温度を確保する場合においてもヒータ容量を小さくすることができる。さらに、切替室を冷凍温度帯に設定した場合、冷蔵室からの熱伝導により切替室が温められることなく、無駄な冷却をすることを抑制することができる。さらに冷蔵室も切替室からの熱伝導が抑制できるため、冷蔵室の過冷却や凍結を防止することが出来る。また、ヒータにより冷蔵室の温度を確保する場合においても、ヒータ容量を小さくすることができ、省エネルギー化を図ることが出来る。
【００１３】
請求項２に記載の発明は、請求項１に記載の発明において、冷蔵室と切替室を区画する仕切り壁内部の真空断熱材は切替室側に配置し、切替室と冷凍室を区画する仕切り壁内部の真空断熱材は冷凍室側に配置するものである。
【００１４】
本発明によれば、真空断熱材を温度の低い貯蔵室側に配置することにより、真空断熱材の経時的な断熱性能の劣化を抑制することができる。
【００１５】
請求項３に記載の発明は、外箱と、内箱と、前記両箱間に充填された断熱材と、前記内箱により形成された庫内を上下に区画する仕切り壁と、前記仕切り壁により区画形成された冷蔵温度帯から冷凍温度帯まで切り替えることのできる切替室と、前記切替室上部に位置する野菜室と、前記切替室の下部に位置する冷凍室とを備え、前記仕切り壁内部に真空断熱材を配置するものである。
【００１６】
本発明によれば、切替室を冷蔵温度帯に設定した場合、冷凍室からの熱伝導により切替室が冷えすぎることを抑制することができる。また、冷凍室も切替室から熱伝導を抑制することにより、省エネルギー化を図ることが出来る。また、ヒータを用いて切替室の冷蔵温度を確保する場合においてもヒータ容量を小さくすることができる。さらに、切替室を冷凍温度帯に設定した場合、野菜室からの熱伝導により切替室が温められることなく、無駄な冷却をすることを抑制することができる。さらに野菜室も切替室からの熱伝導が抑制できるため、野菜室の過冷却や凍結を防止することが出来る。また、ヒータにより野菜室の温度を確保する場合においても、ヒータ容量を小さくすることができ、省エネルギー化を図ることが出来る。また、野菜室の温度変動を小さくすることができ、野菜の保鮮性を向上することができる。
【００１７】
請求項４に記載の発明は、請求項３に記載の発明において、野菜室と切替室を区画する
仕切り壁内部の真空断熱材は切替室側に配置し、切替室と冷凍室を区画する仕切り壁内部の真空断熱材は冷凍室側に配置するものである。
【００１８】
本発明によれば、真空断熱材を温度の低い貯蔵室側に配置することにより、真空断熱材の経時的な断熱性能の劣化を抑制することができる。
【００１９】
請求項５に記載の冷蔵庫は、外箱と、内箱と、前記両箱間に充填された断熱材と、前記内箱により形成された庫内を上下に区画する仕切り壁と、前記仕切り壁により区画形成された冷蔵温度帯から冷凍温度帯まで切り替えることのできる切替室と、前記切替室上部に位置する冷蔵室と前記切替室の下部に位置する野菜室とを備え、前記仕切り壁内部に真空断熱材を配置するものである。
【００２０】
本発明によれば、切替室を冷凍温度帯に設定した場合、冷蔵室及び野菜室からの熱伝導により切替室が温められることなく、無駄な冷却をすることを抑制することができる。また、冷蔵室、野菜室共に切替室からの熱伝導が抑制できるため、冷蔵室、野菜室の過冷却や凍結を防止することが出来る。また、ヒータにより冷蔵室、野菜室の温度を確保する場合においても、ヒータ容量を小さくすることができ、省エネルギー化を図ることが出来る。また、仕切り壁を薄くすることができ、各室の容量を十分に確保することができる。
【００２１】
請求項６に記載の冷蔵庫は、請求項５に記載の発明において、冷蔵室と切替室を区画する仕切り壁内部の真空断熱材は切替室側に配置し、切替室と野菜室を区画する仕切り壁内部の真空断熱材は切替室側に配置するものである。
【００２２】
本発明によれば、真空断熱材を温度調節を低くできる貯蔵室側に配置することにより、真空断熱材の経時的な断熱性能の劣化を抑制することができる。
【００２３】
以下、本発明の実施の形態について、図１から図６を用いて説明する。
【００２４】
（実施の形態１）
本実施の形態１による冷蔵庫を図１から図２に示す。図１には冷蔵庫の正面断面図を、図２には冷蔵庫の側面断面図を示す。図１、図２において１８は冷蔵庫本体であり、１９は、冷蔵室扉５、切替室扉１８、冷凍室扉７を含めた断熱箱体で、ＡＢＳなどの合成樹脂からなる内箱２と鉄板などの金属からなる外箱１とから形成される空間に硬質ウレタンフォーム４と真空断熱材２１が複層構造で配設されている。
【００２５】
また、断熱箱体２０は仕切り壁２２，２３で各温度帯の部屋に区切られており、１０は冷蔵室、２４は切替室、１２は冷凍室を構成している。冷凍室１２は概ね−１５℃〜−２５℃の冷凍温度帯に、冷蔵室１０は概ね０〜１０℃の冷蔵温度帯に設定される。切替室２４は冷蔵温度帯から冷凍温度帯に切り替えることを可能にしている。１３は圧縮機、１４は凝縮器、１５は冷却器であり冷却装置を構成している。つまり、冷蔵庫本体１９は、断熱箱体２０と，冷蔵室１０，切替室２４と冷凍室１２、これら各温度帯の部屋を冷却する圧縮機１３、凝縮器１４、冷却器１５を備えた冷却装置によって構成されている。
【００２６】
さらに、仕切り壁２２，２３の内部にはウレタンフォーム４と真空断熱材２５，２６と電気ヒータ２７，２８が配接されている。ここで、真空断熱材２５は切替室側に、また、真空断熱材２６は冷凍室側に、そして、電気ヒータ２７は冷蔵室側に、電気ヒータ２８は切替室側に配接されている。
【００２７】
以上のような構成において、切替室２４を冷蔵温度帯にしても仕切り壁２３内部に配接された真空断熱材２６により、切替室２４と冷凍室１２の断熱性能が向上するため、特に
外気温が低いときのように切替室の電気ヒータが必要な時でも、ヒータ容量を小さくすることでき、省エネルギー化を図ることが出来る。また、冷凍室も切替室からの侵入熱量が低下し、冷却性能が少なくすむため、省エネルギー化を図ることが出来る。
【００２８】
また、電気ヒータ２８と真空断熱材２６を接触することなく、配接しているため、真空断熱材２６の経時的な劣化を抑制することができる。
【００２９】
さらに、切替室２４を冷凍温度帯にしても仕切り壁２２内部に配接された真空断熱材２５により冷蔵室１０と切替室２４の断熱性能が向上するため、特に冷蔵室の電気ヒータが必要な時でも、ヒータ容量を小さくすることできる。また、切替室も冷蔵室からの侵入熱量が低下し、冷却性能が少なくすむため、省エネルギー化を図ることが出来る。
【００３０】
また、真空断熱材を温度の低い貯蔵室側に配接することにより、真空断熱材２５の経時的な劣化を抑制することができる。また、電気ヒータ２７と真空断熱材２５を接触することなく、配接しているため、真空断熱材２５の経時的な劣化をさらに抑制することができる。
【００３１】
（実施の形態２）
本実施の形態２による冷蔵庫を図３、図４に示す。図３には冷蔵庫の正面断面図を、図４には冷蔵庫の側面断面図を示す。図３、図４において断熱箱体４３は仕切り壁２９，３０，２３で各温度帯の部屋に区切られており、１０は冷蔵室、１１は野菜室、２４は切替室、１２は冷凍室を構成している。冷蔵庫本体４２は、断熱箱体４３と，冷蔵室１０、野菜室１１、切替室２４と冷凍室１２、これら各温度帯の部屋を冷却する圧縮機１３、凝縮器１４、冷却器１５を備えた冷却装置によって構成されている。
【００３２】
さらに、仕切り壁３０，２３の内部にはウレタンフォーム４と真空断熱材３１，２６と電気ヒータ３２，２８が配接されている。ここで、真空断熱材３１は切替室側に、また、真空断熱材２６は冷凍室側に、そして、電気ヒータ３２は野菜室側に、電気ヒータ２８は切替室側に配接されている。
【００３３】
以上のような構成において、切替室２４を冷蔵温度帯にしても仕切り壁２３内部に配接された真空断熱材２６により、切替室２４と冷凍室１２の断熱性能が向上するため、特に外気温が低いときのように切替室の電気ヒータが必要な時でも、ヒータ容量を小さくすることでき、省エネルギー化を図ることが出来る。また、冷凍室も切替室からの侵入熱量が低下し、冷却性能が少なくすむため、省エネルギー化を図ることが出来る。
【００３４】
また、電気ヒータ２８と真空断熱材２６を接触することなく、配接しているため、真空断熱材２６の経時的な劣化を抑制することができる。
【００３５】
さらに、切替室２４を冷凍温度帯にしても仕切り壁３０内部に配接された真空断熱材３１により野菜室１１と切替室２４の断熱性能が向上するため、特に野菜室の電気ヒータが必要な時でも、ヒータ容量を小さくすることできる。また、野菜室１１の温度変動を小さくすることができ、野菜の保鮮性を向上することができる。また、切替室も野菜室からの侵入熱量が低下し、冷却性能が少なくすむため、省エネルギー化を図ることが出来る。
【００３６】
また、真空断熱材を温度の低い貯蔵室側に配接することにより、真空断熱材３１の経時的な劣化を抑制することができる。また、電気ヒータ３２と真空断熱材３１を接触することなく、配接しているため、真空断熱材３１の経時的な劣化をさらに抑制することができる。
【００３７】
（実施の形態３）
本実施の形態３による冷蔵庫を図５、図６に示す。図５には冷蔵庫の正面図を、図６には冷蔵庫の側面断面図を示す。図５、図６において断熱箱体４５は仕切り壁３３，３４，３５で各温度帯の部屋に区切られており、１０は冷蔵室、１１は野菜室、２４は切替室、１２は冷凍室を構成している。冷蔵庫本体４４は、断熱箱体４５と，冷蔵室１０、切替室２４、野菜室１１と冷凍室１２、これら各温度帯の部屋を冷却する圧縮機１３、凝縮器１４、冷却器１５を備えた冷却装置によって構成されている。
【００３８】
さらに、仕切り壁３３、３４、３５の内部にはウレタンフォーム４と真空断熱材３６、３７、３８と電気ヒータ３９、４０、４１が配接されている。ここで、真空断熱材３６は切替室側に、そして、電気ヒータ３９は冷蔵室側に、電気ヒータ３９は野菜室側に配接されている。
【００３９】
以上のような構成において、切替室２４を冷凍温度帯にしても仕切り壁３３内部に配接された真空断熱材３６により冷蔵室１０と切替室２４の断熱性能が向上するため、特に冷蔵室の電気ヒータが必要な時でも、ヒータ容量を小さくすることできる。また、仕切り壁３３内部に配接された真空断熱材３６により野菜室１１と切替室２４の断熱性能が向上するため、特に野菜室１１の電気ヒータが必要な時でも、ヒータ容量を小さくすることできる。また、切替室２４も冷蔵室１０、野菜室１１からの侵入熱量が低下し、冷却性能が少なくすむため、省エネルギー化を図ることが出来る。
【００４０】
また、冷蔵室１０、野菜室１１と同温度帯の間に冷凍温度帯で使用される可能性のある切替室２４が配置しているため、仕切り壁３３、３４は十分な断熱性能が必要であるが、真空断熱材３６、３７により十分な断熱性能が確保されているため、仕切り壁３３、３４を薄くすることができ、冷蔵室１０、切替室２４、野菜室１１の容量を十分に確保することができる。
【００４１】
また、真空断熱材３６を温度調節の低く出来る切替室側に配接することにより、真空断熱材３６の経時的な劣化を抑制することができる。
【産業上の利用可能性】
【００４２】
以上のように本発明にかかる冷蔵庫は、切替室の上下の仕切り壁に真空断熱材を温度帯の異なる貯蔵室になった場合において熱伝導が抑制され、過冷却や凍結が防止できると共に、ヒータ容量減による省エネルギー化を図ることができ、温度の異なる区画を設けた冷却機器の断熱構成として広く応用することができる。
【図面の簡単な説明】
【００４３】
【図１】本発明の実施の形態１における冷蔵庫の正面断面図
【図２】同実施の形態の冷蔵庫の側面断面図
【図３】本発明の実施の形態２における冷蔵庫の正面断面図
【図４】同実施の形態の冷蔵庫の側面断面図
【図５】本発明の実施の形態３における冷蔵庫の正面断面図
【図６】同実施の形態の冷蔵庫の側面断面図
【図７】従来の冷蔵庫の側面断面図
【符号の説明】
【００４４】
１  外箱
２  内箱
４  硬質ウレタンフォーム
２２  冷蔵室と切替室を仕切る仕切り壁
２３  切替室を冷凍室を仕切る仕切り壁
２５  冷蔵室と切替室を仕切る仕切り壁内部の真空断熱材
２６  切替室を冷凍室を仕切る仕切り壁内部の真空断熱材
２７  冷蔵室と切替室を仕切る仕切り壁内部の電気ヒータ
２８  切替室を冷凍室を仕切る仕切り壁内部の電気ヒータ
【図１】
2005127600.tif 000003
【図２】
2005127600.tif 000004
【図３】
2005127600.tif 000005
【図４】
2005127600.tif 000006
【図５】
2005127600.tif 000007
【図６】
2005127600.tif 000008
【図７】
2005127600.tif 000009